(57)【要約】【課題】ラックバネからリードスクリューへの荷重トルクを容易に調整可能な光ピックアップユニットを提供する。【解決手段】光ピックアップユニット１は、ベースフレーム上に設けられたステッピングモータと、光ピックアップ１０の移動方向に平行に設けられ、ステッピングモータにより回転させられるリードスクリュー２と、リードスクリュー２と平行にベースフレーム上に配設され、ピックアップベース１２をその移動方向に案内するガイドロッド３、４と、その一端側で固定手段７を介してピックアップベース１２に固定され、他端側にリードスクリュー２の溝と係合するラック５１を有し、リードスクリュー２の回転により、ピックアップベース１２をその移動方向に移動させるラックバネ５と、ピックアップベース１２の上面に設けられ、ラックバネ５の高さを調整するラックバネ高さ調整手段（扇状の突起）８と、を備える。【選択図】図１
2008165937.tif 000002
【特許請求の範囲】
【請求項１】
光ディスク装置に用いられる光ピックアップユニットであって、ベースフレームと、該ベースフレーム上に設けられ、前記光ディスク装置に装填された光ディスクを回転させる回転駆動機構と、前記装填された光ディスクの所定の半径方向に移動可能となるように、前記ベースフレーム上に設けられ、該光ディスクの記録・再生をするための光ピックアップとを有する光ピックアップユニットにおいて、
前記ベースフレーム上に設けられたステッピングモータと、
前記光ピックアップの移動方向と平行に設けられ、前記ステッピングモータにより回転させられるリードスクリューと、
前記リードスクリューと平行に前記ベースフレーム上に配設され、前記光ピックアップのピックアップベースを前記光ピックアップの移動方向に案内するガイドロッドと、
その一端側で固定手段を介して前記ピックアップベースに固定されるとともに、他端側に前記リードスクリューの溝と係合する係合部を有し、前記リードスクリューの回転により、前記ピックアップベースを前記光ピックアップの移動方向に移動させるラックバネと、
前記ピックアップベースの上面に設けられ、該ピックアップベースの上面における前記ラックバネの高さを調整するラックバネ高さ調整手段と、を備えることを特徴とする光ピックアップユニット。
【請求項２】
前記ラックバネ高さ調整手段は、前記固定手段に隣接して前記ピックアップベース上に設けられた突起である請求項１に記載の光ピックアップユニット。
【請求項３】
前記固定手段は、前記ピックアップベース上に設けられたネジ穴と、該ネジ穴を介して前記ラックバネを固定するネジとから構成され、前記突起は、前記ネジ穴の外周に沿って設けられた扇形状のものである請求項２に記載の光ピックアップユニット。
【請求項４】
前記突起が前記ピックアップベース上に複数設けられている請求項２に記載の光ピックアップユニット。
【請求項５】
前記固定手段は、前記ピックアップベース上に設けられたネジ穴と、該ネジ穴を介して前記ラックバネを固定するネジとから構成され、前記突起は、前記ネジ穴の外周の外方に沿って設けられたリング形状のものである請求項２に記載の光ピックアップユニット。
【請求項６】
ガイドロッドに案内され、装填された光ディスクの所定の半径方向に移動可能なピックアップベースを有し、前記光ディスクの記録・再生をするための光ピックアップと、
前記ガイドロッドと間隔をおいて平行に設けられ、ステッッピングモータにより回転させられるリードスクリューと、
その一端側で固定手段を介して前記ピックアップベースに固定されるとともに、他端側に前記リードスクリューの溝と係合する係合部を有し、前記リードスクリューの回転により、前記ピックアップベースを前記光ピックアップの移動方向に移動させるラックバネと、
前記ピックアップベースの上面に設けられ、該ピックアップベースの上面における前記ラックバネの高さを調整するラックバネ高さ調整手段と、を備えることを特徴とする光ピックアップ機構。
【発明の詳細な説明】
【技術分野】
【０００１】
本発明は、光ディスクを駆動する光ディスク装置に用いられる光ピックアップユニットおよび光ピックアップ機構に関する。
【背景技術】
【０００２】
ＤＶＤ等の大容量の光ディスクを駆動する光ディスク装置では、記録密度がＣＤ−Ｒ等と比べて大きいため、サーチ動作時等に光ピックアップを高速で移動させることが必要である。そのため、光ディスクの所定の半径方向（通常、光ディスク装置を平面視したときの長手方向）に光ピックアップを移動させる送り機構は、リードスクリューを回転駆動する手段として、従来のＤＣモータに代えて、ステッピングモータを用いるのが主流となっている。
【０００３】
ここで、リードスクリューは、光ディスク装置の光ピックアップユニットあるいは光ピックアップ機構に対し、光ディスクの半径方向に光ピックアップを移動させるための係合溝を備えている。光ピックアップのピックアップベースに固定されたラックバネのラックの係合部とリードスクリューの係合溝とが係合している状態で、ステッピングモータがリードスクリューを回転させることにより、光ピックアップを移動させることができる（例えば、特許文献１参照）。
【０００４】
ラックバネにおいてラックが設けられた一端側と反対の他端側は、ネジ等の固定手段を介してピックアップベースに固定されており、ステッピングモータのリードスクリューに荷重（バネ圧）を加える構造となっている。
【０００５】
【特許文献１】特開２００１−１６０２７４号公報
【発明の開示】
【発明が解決しようとする課題】
【０００６】
しかしながら、リードスクリューへの荷重トルクの大きさを調整するには、ラックバネのバネ圧を調整する必要がある。このような構造では、通常、ネジを取り付けるピックアップベースの上面の高さ修正することになり、このような修正にはピックアップベースの上面全体に対する金型の修正が必要となって、多くの時間を必要とするとともに、光ピックアップユニットあるいは光ディスク装置の製造コストのアップにつながってしまうという問題があった。
【０００７】
また、ピックアップベースの上面が傾いていたり、変形していたりする場合には、ラックバネのバネ圧がリードスクリューへの荷重トルクの設定値から外れることもあり、このような場合であっても、バネ圧を調整するためには、ピックアップベースの上面全体に対する金型を修正しなければならず、上記と同様の問題を引き起こしていた。
【０００８】
このように、ピックアップベースの上面（土台）に高さや形状のばらつきがあった場合には、従来の光ディスク装置（光ピックアップユニットあるいは光ピックアップ機構）ではラックバネによるリードスクリューへの荷重トルクを調整することが容易ではなかった。
【０００９】
したがって、本発明は、ピックアップベースとリードスクリューとの係合にラックバネを用いる構造を有する光ピックアップユニットおよび光ピックアップ機構において、簡単にラックバネの高さを調整することができ、それによりリードスクリューに加えられる荷重トルクを適正に設定することができる光ピックアップユニットおよび光ピックアップ機構を提供することを目的とする。
【課題を解決するための手段】
【００１０】
上記目的を達成するべく、本発明の光ピックアップユニットは、光ディスク装置に用いられる光ピックアップユニットであって、ベースフレームと、該ベースフレーム上に設けられ、前記光ディスク装置に装填された光ディスクを回転させる回転駆動機構と、前記装填された光ディスクの所定の半径方向に移動可能となるように、前記ベースフレーム上に設けられ、該光ディスクの記録・再生をするための光ピックアップとを有する光ピックアップユニットにおいて、
前記ベースフレーム上に設けられたステッピングモータと、
前記光ピックアップの移動方向と平行に設けられ、前記ステッピングモータにより回転させられるリードスクリューと、
前記リードスクリューと平行に前記ベースフレーム上に配設され、前記光ピックアップのピックアップベースを前記光ピックアップの移動方向に案内するガイドロッドと、
その一端側で固定手段を介して前記ピックアップベースに固定されるとともに、他端側に前記リードスクリューの溝と係合する係合部を有し、前記リードスクリューの回転により、前記ピックアップベースを前記光ピックアップの移動方向に移動させるラックバネと、
前記ピックアップベースの上面に設けられ、該ピックアップベースの上面における前記ラックバネの高さを調整するラックバネ高さ調整手段と、を備えることを特徴とする。
【００１１】
本発明の光ピックアップユニットでは、前記ラックバネ高さ調整手段は、前記固定手段に隣接して前記ピックアップベース上に設けられた突起であるのが好ましい。この場合、前記固定手段は、前記ピックアップベース上に設けられたネジ穴と、該ネジ穴を介して前記ラックバネを固定するネジとから構成され、前記突起は、前記ネジ穴の外周に沿って設けられた扇形状のものであってもよい。また、前記突起が前記ピックアップベース上に複数設けられていてもよい。このような突起の形状としては、例えば、扇形、円形、四角形等を用いることができる。
【００１２】
また、上記とは異なり、本発明の光ピックアップユニットでは、前記固定手段は、前記ピックアップベース上に設けられたネジ穴と、該ネジ穴を介して前記ラックバネを固定するネジとから構成され、前記突起は、前記ネジ穴の外周の外方に沿って設けられたリング形状のものであってもよい。
【００１３】
また、本発明の光ピックアップ機構は、ガイドロッドに案内され、装填された光ディスクの所定の半径方向に移動可能なピックアップベースを有し、前記光ディスクの記録・再生をするための光ピックアップと、
前記ガイドロッドと間隔をおいて平行に設けられ、ステッッピングモータにより回転させられるリードスクリューと、
その一端側で固定手段を介して前記ピックアップベースに固定されるとともに、他端側に前記リードスクリューの溝と係合する係合部を有し、前記リードスクリューの回転により、前記ピックアップベースを前記光ピックアップの移動方向に移動させるラックバネと、
前記ピックアップベースの上面に設けられ、該ピックアップベースの上面における前記ラックバネの高さを調整するラックバネ高さ調整手段と、を備えることを特徴とする。
【発明の効果】
【００１４】
本発明によれば、光ピックアップユニットまたは光ピックアップ機構において、ピックアップベース上にラックバネ高さ調整手段を設けることにより、ピックアップベース全体の高さや形状等を変えるような金型修正をすることなく、簡単な部分的な金型修正によりラックバネからリードスクリューへの荷重トルクを容易に適正値に設定することができる。
【発明を実施するための最良の形態】
【００１５】
以下、本発明の光ピックアップユニットおよび光ピックアップ機構の好適な実施の形態について、添付図面を参照しつつ詳細に説明する。
【００１６】
まず、本発明の光ピックアップユニットの構成を説明する。図１は、本発明の一実施形態における光ピックアップユニットの主要部を示す平面図である。本発明の光ピックアップユニット１は、ＣＤ−ＲＯＭ、ＣＤ−Ｒ、ＤＶＤ−ＲＯＭ、ＤＶＤ−Ｒ等の光ディスク（図示せず）を再生し、あるいは記録・再生するドライブ装置である光ディスク装置に用いられ、いわゆるトラバース機構を含むものである。
【００１７】
光ピックアップユニット１は、図示しないベースフレームと、このベースフレーム上に設けられ、光ディスク装置に装填された光ディスクを回転させる回転駆動機構（図示せず）と、装填された光ディスクの所定の半径方向（本実施形態では、後述する光ピックアップ１０の移動方向）に移動可能となるように、ベースフレーム上に設けられ、光ディスクの記録・再生をするための光ピックアップ１０とを備えている。
【００１８】
より詳しく説明するに、光ピックアップユニット１は、図１に示すように、ベースフレーム上に設けられたステッピングモータ（図１では図示せず、本実施形態では、リードスクリュー２の一端に連結されている）と、光ピックアップ１０の移動方向（図１では、紙面において上下方向）に平行に設けられ、ステッピングモータにより回転させられるリードスクリュー２と、リードスクリュー２と平行にベースフレーム上に配設され、光ピックアップ１０のピックアップベース１２を光ピックアップ１０の移動方向に案内するガイドロッド３、４と、その一端側で固定手段７を介してピックアップベース１２に固定されるとともに、他端側にリードスクリュー２の係合溝２１と係合するラック５１を有し、リードスクリュー２の回転により、ピックアップベース１２を光ピックアップ１０の移動方向に移動させるラックバネ５とを備えている。なお、図１では図示していないが、リードスクリュー２には、ラックバネ５のラック５１の底面に設けられた２列の係合部５２と係合するように、螺旋状に係合溝２１が設けられている（図２（ｂ）参照）。
【００１９】
以上の光ピックアップ１０は、図１に示すように、平面視でピックアップベース１２の概ね中央部に位置する対物レンズ１１を有しており、またガイドロッド４に案内される副軸部１３を有している。
【００２０】
また、光ピックアップユニット１は、ピックアップベース１２の上面に設けられ、ピックアップベース１２の上面におけるラックバネ５の高さを調整するラックバネ高さ調整手段８を備えている。なお、固定手段７およびラックバネ高さ調整手段８については、図２を参照してその詳細を後述する。
【００２１】
ラックバネ５は、所定範囲の荷重トルク（バネ圧）でラック５１をリードスクリュー２に圧接するものである。ラック５１のリードスクリュー２への圧接位置とは概ね反対の位置には、ピックアップベース１２から延出する当接部６がリードスクリュー２と当接している。また、リードスクリュー２は、図示しないベースフレームに回転自在に支持されており、その一端側は図示しないステッピングモータに連結されている。
【００２２】
そして、図示しないステッピングモータの回転駆動がリードスクリュー２に伝達されることにより、リードスクリュー２は回転する。リードスクリュー２が回転すると、ラック５１の係合部５２がリードスクリュー２の係合溝２１に沿って移動し、この移動により、ピックアップベース１２は、ガイドロッド３、４に案内されて、光ピックアップ１０の移動方向に移動させられる。なお、以下では、リードスクリュー２の近傍に位置するガイドロッド３を主軸（ガイドロッド）３といい、リードスクリュー２の遠方に位置するガイドロッド４を副軸（ガイドロッド）４ともいう。
【００２３】
次に、本発明の特徴部分であるラックバネ５近傍の構成を説明する。図２は、図１に示す光ピックアップ１０のラックバネ５部分を示す要部拡大平面図および断面図である。
【００２４】
ラックバネ５は、図２（ｂ）に示すように、長手方向においてピックアップベース１２側の一部でく字状（Ｖ字状）に折り曲げられ、ラック５１の係合部５２がリードスクリュー２に所定範囲の荷重トルク（バネ圧）を与えるように（すなわち、所定範囲の荷重トルクでラック５１をリードスクリュー２に付勢するように）、所定のバネ定数を有している。なお、この係合部５２は、上述のように、図２（ｂ）に示すようなリードスクリュー２の係合溝２１と係合する。
【００２５】
本実施形態では、固定手段７は、ラックバネ５およびピックアップベース１２上に設けられたネジ穴と、これらのネジ穴に挿通し、これらを介してラックバネ５をピックアップベース１２に固定するネジとから構成されている。また、ラックバネ高さ調整手段８は、図２（ａ）および図２（ｂ）に示すように、ピックアップベース１２のネジ穴に隣接して設けられ、ネジを螺合してラックバネ５をピックアップベース１２に固定した状態において、ラックバネ５とピックアップベース１２の間に位置し、平面視でネジの頭部にその一部が重なるように配置された突起８である。この突起８は、本実施形態では、ネジ穴の外周に沿って設けられた扇形状の突起であって、ピックアップベース１２と一体に金型成形されたものである。
【００２６】
ラックバネ高さ調整手段８を以上のような扇形の小突起から構成することにより、例えば、ピックアップベース１２の上面の高さにばらつきがあったり、ピックアップベース１２の上面が傾いていたり、あるいは変形しているような場合であっても、扇形の突起８の部分だけの金型の部分的な修正により、ラックバネ５のピックアップベース１２上の高さを調整することができる。このような扇形の突起８の部分だけの金型修正は、ピックアップベース１２全体に対する金型を修正する場合に比べ、はるかに容易であり、それに要する時間も短い。すなわち、本実施形態によれば、ピックアップベース１２の上面にばらつき等があった場合でも、扇形突起８の部分に対応する金型の部分的な修正だけで、ラックバネ５のバネ圧、すなわち、ラック５１をリードスクリュー２に付勢する荷重トルクを適正範囲に簡単に設定することができる。
【００２７】
次に、ラックバネ高さ調整手段８の変形例について詳細に説明する。
図３および図４は、本発明のラックバネ高さ調整手段８の変形例をそれぞれ示す要部拡大平面図である。
【００２８】
ラックバネ高さ調整手段８は、図１および図２に示したような扇形の突起に限らず、図３に示すように、ピックアップベース１２のネジ穴の外周の外方に沿って設けられたリング形状の突起８Ａであってもよい。
【００２９】
また、ラックバネ高さ調整手段８は、図４に示すように、ピックアップベース１２のネジ穴の外周に沿って設けられた複数の扇形の突起８Ｂであってもよい。このように、ラックバネ高さ調整手段８は、ラックバネ５の高さを調整することができる限り、ラックバネ高さ調整手段８を構成する突起の形状、個数を適宜選択することができる。突起の形状としては、上記実施形態における扇形の他、例えば、円形、三角形、四角形等の多角形を用いることができる。また、突起が円形あるいは多角形であったとしても、このような突起がピックアップベース１２のネジ穴の外方に複数設けられていてもよい。
これらの突起の高さ修正もピックアップベース１２に対する金型の部分的な修正で行うことができ、前述した実施形態と同様な効果を得ることができる。
【００３０】
次に、本発明の光ピックアップ機構について詳細に説明する。なお、各構成要素について、上記実施形態の構成要素と同様のものについては、図１に示す各構成要素と同一の符号を用いて説明し、その詳細な説明を省略する。
【００３１】
本発明の光ピックアップ機構は、図示しない光ディスク装置内に含まれる光ピックアップを駆動（移動、再生、記録等）する機構であり、この場合、光ディスク装置と一体的に構成されるものである。
【００３２】
この光ピックアップ機構は、ガイドロッド３、４に案内され、装填された光ディスクの所定の半径方向（図１において、上下方向）に移動可能なピックアップベース１２を有し、光ディスクの記録・再生をするための光ピックアップ１０と、ガイドロッド３、４と間隔をおいて平行に設けられ、ステッッピングモータ（図示せず）により回転させられるリードスクリュー２と、その一端側で固定手段７を介してピックアップベース１２に固定されるとともに、他端側にリードスクリュー２の係合溝２１と係合する係合部５２（ラック５１）を有し、リードスクリュー２の回転により、ピックアップベース１２を光ピックアップ１０の移動方向に移動させるラックバネ５と、ピックアップベース１２の上面に設けられ、このピックアップベース１２の上面におけるラックバネ５の高さを調整するラックバネ高さ調整手段８とを備えている。
【００３３】
ラックバネ高さ調整手段８は、上述の実施形態のいずれの構成（形状、個数）を有するものであってもよい。このように、光ディスク装置に備えられる光ピックアップ機構においても、ラックバネ高さ調整手段８を有しているので、上述のような本発明の効果を得ることができる。
【００３４】
以上、本発明の光ピックアップユニットおよび光ピックアップ機構を図示の各実施形態に基づいて説明したが、本発明は、これに限定されるものではなく、光ピックアップユニットあるいは光ピックアップ機構を構成する各部は、同様の機能を発揮し得る任意の構成のものと置換することができる。また、任意の構成物が付加されていてもよい。
【産業上の利用可能性】
【００３５】
本発明の光ピックアップユニットおよび光ピックアップ機構は、特に、ＤＶＤ等の高密度な光ディスクの再生・記録を行うための、ステッピングモータ、リードスクリューおよびラックバネを備える光ディスク装置、あるいはそのような光ディスク装置のトラバース機構に用いて、ラックバネの荷重トルクを簡単に調整することができるので、産業上の利用可能性を有する。
【図面の簡単な説明】
【００３６】
【図１】本発明の一実施形態における光ピックアップユニットの主要部を示す平面図である。
【図２】図１に示す光ピックアップユニットのラックバネ部分を示す要部拡大平面図および断面図である。
【図３】本発明のラックバネ高さ調整手段の変形例を示す要部拡大平面図である。
【図４】本発明のラックバネ高さ調整手段の別の変形例を示す要部拡大平面図である。
【符号の説明】
【００３７】
１      光ピックアップユニット
２      リードスクリュー
２１      係合溝
３、４      ガイドロッド
５      ラックバネ
５１      ラック
５２      係合部
６      当接部
７      固定手段
８、８Ａ、８Ｂ      ラックバネ高さ調整手段（突起）
１０      光ピックアップ
１１      対物レンズ
１２      ピックアップベース
１３      副軸部
【図１】
2008165937.tif 000003
【図２】
2008165937.tif 000004
【図３】
2008165937.tif 000005
【図４】
2008165937.tif 000006